(57)【要約】      （修正有）【課題】脇息を長年使用すると、脚板の付根部分にがたが生じやすいことから、脚板に十分な強度を持たせ、かつ、座って使用する多種の品物を身近に収納可能な、座卓などと共に用いることで大きな利便性が得られる脇息を提供する。【解決手段】肘掛板１の下面前後に厚さ方向を前後方向とした脚板２を備えている脇息において、両小口端を前後の脚板２の下部に固定して複数枚の側板３を架設し、その複数枚の側板の間に形成される空間に小物の収納部５を形成する。収納部は、側板３間を仕切り板４で区画したり、隣接する側板３の上部に底板を架設してトレーを形成し、更に、上記底板１２の下方空間に引出や開閉扉付の収納部を配置することにより形成できる。【選択図】図２
0003102931.tif 000002
【実用新案登録請求の範囲】
【請求項１】
肘掛板(1)の下面前後に厚さ方向を前後方向とした脚板(2)を備えている脇息において、両小口端を前後の脚板の下部に固定して複数枚の側板(3)が架設され、隣接する側板間の空間に小物の収納部(5,10,12)を形成した、脇息。
【請求項２】
隣接する側板間に配置された底板と、当該側板間に架設された仕切り板(4)とを備えている、請求項１記載の脇息。
【請求項３】
隣接する側板の内側上部に架設されてトレー(13)を形成している底板(12)と、この底板の下方空間に配置されて側方に引き出される収納箱(10)とを備えている、請求項１又は２記載の脇息。
【考案の詳細な説明】
【技術分野】
【０００１】
この考案は、座布団の脇に置いて、座った姿勢で肘を置いたり体を凭せ掛けるのに用いる、脇息に関するものである。
【背景技術】
【０００２】
脇息は、上面にクッションを取り付けた又は取り付けていない肘掛板１の下面前後に脚板２を固定した構造で、座布団に座るときに座布団の脇に置いて、肘を置いたり、体を凭せ掛けたり、立ち上るときに手を掛けたりするのに用いられている。
【０００３】
脇息は、和風の部屋の雰囲気に適合するように、一般的には木製で、脚板にも木板が用いられている。脚板は、脇息に斜めに力が加わったときにも側方に倒れないように、かつ畳にかかる荷重を分散させるように、ある程度幅のある板材をその幅方を肘掛板の幅方向にして取り付けられている。従って、脚板の板厚方向は肘掛板の前後方向となる。
【０００４】
肘掛板の前後に、板厚方向を肘掛板の前後方向にして脚板の固定する構造では、肘掛板に前後方向の力が加わったとき、肘掛板と脚板の固定端に大きな内部応力が作用して、脚板が倒れるということが起こる。これを避けるために従来の脇息では、両小口端を前後の脚板上部に固定した補強板を、肘掛板と補強板との関係が断面でＴ字形となるように、肘掛板の下面に取り付けていた。
【０００５】
一方、座って使用する各種の小物を収納する収納部を肘掛に設けた椅子が種々提案されている。例えば、特許文献１や特許文献２には、椅子の肘掛けにおいて、肘を置く台自体を細長い収納箱として、その収納箱の蓋板を肘掛板としたものが提案されている。また、特許文献３には、同様な構造の小物入れを備えた自動車用シートの肘掛が提案されている。更に特許文献４には、ソファ等の枕や肘掛等として使用するクッションに引出しを設けたものが提案されており、特許文献５には、肘掛板の下に垂直軸回りに回動する複数段の小物入れを設けた座椅子が提案されている。
【特許文献１】実開昭６３‐１０３３５８号公報
【特許文献２】実開昭６２‐１０９６４８号公報
【特許文献３】実開昭５７‐１６４６６１号公報
【特許文献４】実開昭５７‐１５２０５１号公報
【特許文献５】実開昭５７‐９７４４５号公報
【考案の開示】
【考案が解決しようとする課題】
【０００６】
従来の脇息において、脚板の倒れを防止するために設けられている補強板は、美感や体裁の点からあまり頑丈な丈高いものとすることができず、しかも脚板に倒れ方向の力が加わったときに大きな応力が作用する脚板の付根部分に取り付けられるため、脇息を長年使用すると、脚板の付根部分にがたが生じやすいという問題があった。
【０００７】
また、肘掛部分に小物の収納部を設けた従来の椅子や座椅子は、単に肘掛板の下方の空間を小物収納用の空間として利用しただけのものであり、それ以上の機能は備えていないものであった。また、椅子や座椅子の肘掛は、肘掛に側方に力が加わっても椅子自体が肘掛の倒れを防止してくれるから、肘を安定に置くことができる幅以上の幅にする必要がない。従って、椅子や座椅子においては、肘掛部分に形成される収納部の容積が小さいものとならざるを得ず、収納空間を大きくしようとすれば、肘掛自体を不必要に幅広のものにしなければならないという問題が生ずる。
【課題を解決するための手段】
【０００８】
そこで、この考案は、肘掛板１の下面前後に厚さ方向を前後方向とした脚板２を備えている脇息において、両小口端を前後の脚板２の下部に固定して複数枚の側板３を架設し、その複数枚の側板の間に形成される空間に小物の収納部５、１０、１２を形成した脇息を提供することにより、上記課題を解決している。
【０００９】
上記小物の収納部５、１２は、隣接する側板３間に底板を配置し、その底板上部の側板３間に仕切り板４を架設することにより形成できる。また、隣接する側板３の内側上部に底板１２を架設してトレー１３を形成すること、更に、上記底板１２の下方空間に側方に引き出される収納箱１０や開閉扉付の収納部を配置することにより形成できる。
【考案の効果】
【００１０】
この考案は、デッドスペースとなっている脇息の肘掛板１の下方の空間を小物の収納空間とすると共に、当該収納空間を形成するための側板３の小口端を前後の脚板２に固着することにより、当該側板３に脚板２の倒れ止めの機能を持たせたものである。収納部を形成するための側板３は、ある程度高さを高くしても美感を損ねたり不自然な印象を与えたりしないので、脚板２の倒れ止めとしての十分な強度を持たせることができる。
【００１１】
更に脇息は、前述したように、体を凭せ掛けたときに側方に倒れるのを防止するために、ある程度の幅の脚板２を供えているので、その間の空間を利用することで、新聞や複数冊の雑誌なども収納可能な大きな収納空間を形成できる。従って、この考案の脇息を居間や書斎に置いておけば、新聞や読みかけの書籍、携帯電話や郵便物、筆記用具やメモ用紙など、座って使用する多種の品物を身近に収納しておくことができ、引出しなどを備えていない座卓と共に用いることで大きな利便性を発揮することができる。
【考案を実施するための最良の形態】
【００１２】
以下、図面を参照して、この考案の実施形態を説明する。図１は第１実施形態の斜視図で、１は肘掛板、２は肘掛板１の下面前後に上端を固着した脚板、３は両小口端を前後の脚板２の内側下部に固着した側板、４は隣接する２枚の側板間に架設した仕切板である。図には表れていないが、両側板３の内側底辺部分には、底板が配置されている。これらの底板、側板３及び仕切板４により、肘掛板１の下方部分に、肘掛板１との間に出し入れのための十分なスペースを形成した状態で、複数の収納部５が形成されている。
【００１３】
図の例では、３枚の仕切板４が略等間隔に配置されているが、仕切板の枚数や間隔を変えることによって大小の収納部を自由に形成できる。また、側板３を３枚にして、それによって形成される２つの収納空間の内の一方を仕切版を有しない狭幅のものとすることで、当該空間を新聞や雑誌の収納空間とすることができる。
【００１４】
なお、側板の下辺６及び前述した底板は、脚板２の下辺より若干高い位置にあり、畳の上に置いたときに、脚板２の下辺のみが当接して脇息の座りが不安定になるのを防止している。
【００１５】
図２は、この考案の第２実施形態を示す斜視図で、側方へ引き出される引出し１０を設けた例を示したものである。
【００１６】
前後の脚板２の間に設けた２枚の側板３の一方には、引出しを挿入するための開口１１が設けられ、この開口の上辺と側辺の位置に仕切板４と上底板１２とが両側板３、３の間に架設して設けられている。上底板１２の上部は浅い皿状の収納空間１３となっており、また仕切板４の反引出し側は、その底部に底板を設けて図１の収納空間と同様な収納空間５が形成されている。開口１１には側方へ引き出される引出し１０が設けられている。１４は引出しの引き手である。
【００１７】
なお、図には装飾が施されていないシンプルな形状のものを示したが、肘掛板１の上面にクッション材を取り付けたり、脚板２の側辺を曲線状にしたり、その上部に切り抜き模様などを適宜設けて、より装飾性のある種々の美感の脇息を提供することができる。また、収納部の形態も図示形態に限定されるものではなく、その大きさや区画数、引出しの有無や引出しの数、蝶番式の扉や取り外し式の内蓋を設けるなど、種々の形態の収納部を組み合わせて形成することが可能である。
【図面の簡単な説明】
【００１８】
【図１】第１実施形態の斜視図
【図２】第２実施形態の斜視図
【符号の説明】
【００１９】
１  肘掛板
２  脚板
３  側板
４  仕切板
５  収納部
１０  引き出し
１１  開口
１２  上底板
１３  収納空間
【図１】
0003102931.tif 000003
【図２】
0003102931.tif 000004